(57)【要約】【課題】定められた電子機器にのみ電力を供給するコンセントに、その電子機器が接続されていない場合に、消費電力を抑える電力供給システムを提供する。【解決手段】ＣＰＵ１８は、電子機器２の識別情報が正当でない場合に、出力制御部１４を出力線ＯＵＴ２に電力を供給する状態とする。これにより、電子機器２及びＣＰＵ１８自体への電力の供給が遮断される。ＣＰＵ１８は、プッシュスイッチ１１１の押し下げにより、出力線ＯＵＴ２に電力を供給する状態とされた出力制御部１４からの電力の供給に応じて起動され、出力制御部１４を出力線ＯＵＴ１に電力を供給する状態とする。これにより、出力線ＯＵＴ１及び接続線ＯＵＴ３を介してＣＰＵ１８に電力が供給される。【選択図】図１
2009240065.tif 000002
【特許請求の範囲】
【請求項１】
電子機器と接続され、電力を供給するコンセントと、
前記コンセントと接続されている電子機器の電源プラグに取り付けられた無線タグに記憶されている前記電子機器の識別情報を取得する機器情報取得手段と、
前記コンセントに接続された第１の出力線と、監視制御手段に接続された第２の出力線とを備え、前記第１及び第２の出力線のいずれか一方に電力を供給する出力制御手段と、
前記コンセントに前記電子機器が接続された場合に、前記機器情報取得手段により当該電子機器の識別情報を取得して、前記識別情報が正当である場合に前記電子機器に電力を供給し正当でない場合に電力を供給しないように、前記出力制御手段を制御する監視制御手段と、
前記第２の出力線に直列に挿入され、通常状態である開状態において押し下げられることにより閉状態とされるスイッチ手段と、
前記第１の出力線と、前記第２の出力線の前記スイッチ手段の挿入された位置の前記監視制御手段側とを接続する接続線とを備え、
前期監視制御手段が、
前記識別情報が正当である場合に、前記出力制御手段を前記第１の出力線に電力を供給する状態とすることにより、前記コンセントを介して前記電子機器に電力を供給し、
前記識別情報が正当でない場合に、前記出力制御手段を前記第２の出力線に電力を供給する状態とすることにより、前記電子機器及び前期監視制御手段自体への電力の供給を遮断し、
前記スイッチ手段の押し下げによる前記第２の出力線に電力を供給する状態とされた前記出力制御手段からの電力の供給に応じて起動されて、前記出力制御手段を前記第１の出力線に電力を供給する状態とすることにより、前記第１の出力線及び接続線を介して前期監視制御手段に電力を供給する
ことを特徴とする電力供給システム。
【請求項２】
複数の電力供給システムと、その各々にネットワークを介して接続されたサーバとからなる電力供給管理システムであって、
前記電力供給システムは、
電子機器と接続され、電力を供給するコンセントと、
前記コンセントと接続されている電子機器の電源プラグに取り付けられた無線タグに記憶されている当該電子機器の識別情報を取得する機器情報取得手段と、
前記コンセントに接続された第１の出力線と、監視制御手段に接続された第２の出力線とを備え、前記第１及び第２の出力線のいずれか一方に電力を供給する出力制御手段と、
前記コンセントに前記電子機器が接続された場合に、前記機器情報取得手段により当該電子機器の識別情報を取得して、前記識別情報が正当である場合に前記電子機器に電力を供給し正当でない場合に電力を供給しないように、前記出力制御手段を制御する監視制御手段と、
前記第１の出力線から前記監視制御手段に電力を供給する接続線とを備え、
前記サーバは、
前記複数の電力供給システム毎にその起動時間及び停止時間を定めたスケジュールを格納する管理テーブルと、
前記スケジュールに基づいて、前記複数の電力供給システム毎にその起動命令及び停止命令を生成する命令生成手段とを備え、
前記複数の電力供給システムの各々において、前期監視制御手段は、
前記サーバから前記停止命令を受信した場合、前記出力制御手段を前記第２の出力線に電力を供給する状態とすることにより、前記電子機器への電力の供給を遮断し、
前記サーバから前記起動命令を受信した場合において、前記識別情報が正当である場合に、前記出力制御手段を前記第１の出力線に電力を供給する状態とすることにより、前記コンセントを介して前記電子機器に電力を供給し、前記識別情報が正当でない場合に、前記出力制御手段を前記第２の出力線に電力を供給する状態とすることにより、前記電子機器への電力の供給を遮断する
ことを特徴とする電力供給管理システム。
【発明の詳細な説明】
【技術分野】
【０００１】
本発明は、電力供給システム及び電力供給管理システムに関し、特に、予め定められた電子機器にのみ電力を供給するコンセントにおける、当該電子機器がコンセントに接続されていない待機状態での消費電力を抑える電力供給システム及び電力供給管理システムに関する。
【背景技術】
【０００２】
電力供給システムとして、機器のユーザの認証結果に基づいて、当該機器に電力を供給するシステムがある。例えば、電子機器のユーザを特定するユーザＩＤを取得し、取得したユーザＩＤと電力供給許可ユーザとして予め登録されているユーザＩＤとが一致するか判定し、認証した場合にはコンセント等を介して電子機器に電力を供給する電力供給システムが提案されている（特許文献１参照）。
【特許文献１】特開２００６−９４６５５号公報
【発明の開示】
【発明が解決しようとする課題】
【０００３】
前記従来技術においては、電力供給システムが備える複数のコンセントに電子機器のいずれかが接続されているときに、ある電子機器がどのコンセントと接続されているかについての問い合わせに応じて、当該電子機器が接続されているコンセントを特定することは行っていない。従って、従来技術によっては、例えばオフィス等において多数のコンセントに多数の電子機器が接続されているような場合に、電子機器のユーザが、当該電子機器がどのコンセントに接続されているかを認識することは困難である。
【０００４】
また、前記従来技術においては、電力供給システムが、外部の装置からの指示を受けて、当該電力供給システムに接続されている起動又は停止が必要となった電子機器に対応する遅延時間に応じたタイミングで当該電子機器への電力供給を開始又は停止することを行っていない。
【０００５】
そこで、本発明者は、前記従来技術の課題を解決することができる電力供給システムについて出願した（特願２００７−０８３３３４）。しかし、本発明者がこの電力供給システムについて更に検討した結果、省電力の観点から、以下の問題があることを見出した。
【０００６】
即ち、電子機器が複数のコンセントのうちのどのコンセントに接続されているかを特定するために、電子機器がコンセントに接続されていない状態においても、コンセントボックス内のＣＰＵ及び周辺回路（以下、単にＣＰＵと言う）は動作状態にある。即ち、ＣＰＵは電力を消費している。1個のＣＰＵの消費電力は僅かでも、例えば大学等の施設ではコンセント即ちＣＰＵの数量が膨大であるため、合計の消費電力は無視できない。これは、ＣＰＵをいわゆる省電力モードで待機させたとしても、ほぼ同様である。
【０００７】
また、電子機器が対応するコンセントに正しく接続されている限り、当該電子機器には電力が供給される。しかし、例えば大学等の施設では、講義や研究の行われない時間帯即ち電子機器が使用されない時間帯（例えば深夜や休日等）が存在する。このような時間帯においては、たとえ電子機器が対応するコンセントに正しく接続されていたとしても、当該電子機器には電力が供給されるべきではない。
【０００８】
本発明は、予め定められた電子機器にのみ電力を供給するコンセントにおける、電子機器がコンセントに接続されていない待機状態での消費電力を抑える電力供給システムの提供を目的とする。
【０００９】
また、本発明は、外部の装置からの指示を受けて、予め定められた電子機器にのみ電力を供給するコンセントにおける、予め作成されたスケジュールに基づき、自動的に当該電子機器への電力供給の開始又は停止の命令を送る電力供給管理システムの提供を目的とする。
【課題を解決するための手段】
【００１０】
本発明の電力供給システムは、電子機器と接続され、電力を供給するコンセントと、前記コンセントと接続されている電子機器の電源プラグに取り付けられた無線タグに記憶されている前記電子機器の識別情報を取得する機器情報取得手段と、前記コンセントに接続された第１の出力線と、監視制御手段に接続された第２の出力線とを備え、前記第１及び第２の出力線のいずれか一方に電力を供給する出力制御手段と、前記コンセントに前記電子機器が接続された場合に、前記機器情報取得手段により当該電子機器の識別情報を取得して、前記識別情報が正当である場合に前記電子機器に電力を供給し正当でない場合に電力を供給しないように、前記出力制御手段を制御する監視制御手段と、前記第２の出力線に直列に挿入され、通常状態である開状態において押し下げられることにより閉状態とされるスイッチ手段と、前記第１の出力線と、前記第２の出力線の前記スイッチ手段の挿入された位置の前記監視制御手段側とを接続する接続線とを備える。前期監視制御手段が、前記識別情報が正当である場合に、前記出力制御手段を前記第１の出力線に電力を供給する状態とすることにより、前記コンセントを介して前記電子機器に電力を供給し、前記識別情報が正当でない場合に、前記出力制御手段を前記第２の出力線に電力を供給する状態とすることにより、前記電子機器及び前期監視制御手段自体への電力の供給を遮断し、前記スイッチ手段の押し下げによる前記第２の出力線に電力を供給する状態とされた前記出力制御手段からの電力の供給に応じて起動されて、前記出力制御手段を前記第１の出力線に電力を供給する状態とすることにより、前記第１の出力線及び接続線を介して前期監視制御手段に電力を供給する。
【００１１】
本発明の電力供給管理システムは、複数の電力供給システムと、その各々にネットワークを介して接続されたサーバとからなる。前記電力供給システムは、電子機器と接続され、電力を供給するコンセントと、前記コンセントと接続されている電子機器の電源プラグに取り付けられた無線タグに記憶されている当該電子機器の識別情報を取得する機器情報取得手段と、前記コンセントに接続された第１の出力線と、監視制御手段に接続された第２の出力線とを備え、前記第１及び第２の出力線のいずれか一方に電力を供給する出力制御手段と、前記コンセントに前記電子機器が接続された場合に、前記機器情報取得手段により当該電子機器の識別情報を取得して、前記識別情報が正当である場合に前記電子機器に電力を供給し正当でない場合に電力を供給しないように、前記出力制御手段を制御する監視制御手段と、前記第１の出力線から前記監視制御手段に電力を供給する接続線とを備える。前記サーバは、前記複数の電力供給システム毎にその起動時間及び停止時間を定めたスケジュールを格納する管理テーブルと、前記スケジュールに基づいて、前記複数の電力供給システム毎にその起動命令及び停止命令を生成する命令生成手段とを備える。前記複数の電力供給システムの各々において、前期監視制御手段は、前記サーバから前記停止命令を受信した場合、前記出力制御手段を前記第２の出力線に電力を供給する状態とすることにより、前記電子機器への電力の供給を遮断し、前記サーバから前記起動命令を受信した場合において、前記識別情報が正当である場合に、前記出力制御手段を前記第１の出力線に電力を供給する状態とすることにより、前記コンセントを介して前記電子機器に電力を供給し、前記識別情報が正当でない場合に、前記出力制御手段を前記第２の出力線に電力を供給する状態とすることにより、前記電子機器への電力の供給を遮断する。
【発明の効果】
【００１２】
本発明の電力供給システムは、対応するコンセントに正しく接続された電子機器には電力を供給し、対応するコンセントに正しく接続されていない電子機器には電力を供給しないと共に、当該コンセントの監視制御手段（ＣＰＵ）にも電力を供給しないようにする。これにより、当該コンセントが使用されるべきでない状況では、電子機器のみならず、コンセントの電力消費を完全に無くすことができる。例えば大学等の施設ではコンセントの数量が膨大であるため、消費電力を抑えることができる。従って、電子機器がコンセントに接続されていない状態での消費電力を無くすことができる。
【００１３】
本発明の電力供給管理システムは、サーバからの指示を受けて、予め作成されたスケジュールに基づき、自動的に当該電子機器への電力供給の開始又は停止の命令を送ることができる。これにより、例えば大学等の施設で、電子機器が使用されない時間帯において、たとえ電子機器が対応するコンセントに正しく接続されていたとしても、当該電子機器への電力供給を遮断することができる。従って、電力供給を一元管理することができ、また、電力供給の自動化を行うことができるため、電力供給管理の省力化及び消費電力の削減を実現できる。
【発明を実施するための最良の形態】
【００１４】
図１は、本発明の電力供給システム（又は電力供給装置）の構成の一例を示す。図２（Ａ）は、機器情報記憶部１１０に記憶される機器情報の例を示し、図２（Ｂ）及び（Ｃ）は、出力制御部１４にラッチ式リレーを用いた例の動作状態を示す。
【００１５】
この電力供給システム又はコンセントボックス１は、商用電源６から、コンセント１２を介して、これに接続された電子機器２に電力を供給する。コンセントボックス１は、電子機器２と接続される。また、コンセントボックス１は、図４を参照して後述するように、他のコンピュータとネットワークを介して接続することも可能である。
【００１６】
電子機器２は、コンピュータ２１と、当該コンピュータ２１に１対１に対応付けられる電源プラグ２２とを備える。電源プラグ２２は、コンピュータ２１への電力供給インタフェースである。電源プラグ２２には、機器ＩＤが記憶されたＲＦＩＤ（Radio frequency identification）タグ等の無線タグ２３が取り付けられる。機器ＩＤは、後述するように、電子機器２（即ち、コンピュータ２１）を一意に識別する識別情報であり、その識別子として用いられる。従って、コンピュータ２１とその電源プラグ２２（及び無線タグ２３）とは一体不可分（分離不可）に設けられる。
【００１７】
コンセントボックス１は、コンセント部１１、ＣＰＵ１８、ネットワーク制御部１９、機器情報記憶部１１０、プッシュスイッチ（ＳＷ）１１１、ＡＣ／ＤＣ電源部１１２、ネットワーク接続部（コネクタ）１１３を備える。
【００１８】
ＣＰＵ１８は、コンセント部１１を含むコンセントボックス１を監視し制御するコンセント制御部（監視制御手段）であり、コンセント部１１に接続された電子機器２への電力供給を制御する。コンセント制御部は、ＣＰＵ１８と、コンセント制御プログラムとにより実現される。コンセント制御プログラムは、ＣＰＵ１８の主メモリ（図示せず）上に存在し、ＣＰＵ１８で実行される。
【００１９】
なお、図１においては、１つのコンセント部１１しか示していないが、コンセントボックス１がコンセント部１１を複数（例えば４個）備えるようにしても良い。この場合、ＣＰＵ１８、ネットワーク制御部１９、機器情報記憶部１１０、ＡＣ／ＤＣ電源部１１２、ネットワーク接続部１１３は、例えば４個のコンセント部１１に共通に設けられる。一方、プッシュＳＷ１１１は、４個のコンセント部１１の各々に対応して設けられる。
【００２０】
コンセント部１１は、コンセント１２、着脱検知スイッチ（ＳＷ）１３、出力制御部１４、電力計測部１５、発光部１６、機器情報読取部１７を備える。なお、コンセント部１１がプッシュＳＷ１１１を備えると考えても良い。
【００２１】
出力制御部１４は、ＣＰＵ１８からの制御指示に従って、商用電源６から供給される電力のコンセント１２（に挿入された電源プラグ２２）に対する出力を制御する。出力制御部１４は、図２（Ｂ）及び図２（Ｃ）に示すラッチ式リレーからなる。
【００２２】
出力制御部１４は、ラッチ式リレー、ラッチ式リレーの入力線ＩＮ、ラッチ式リレーの出力線ＯＵＴ１及びＯＵＴ２、ラッチ式リレーの制御線Ｃを備える。入力線ＩＮは、商用電源６に接続され、これから電力を供給される。第１の出力線ＯＵＴ１は、コンセント１２に接続され、これに電力を供給する。第２の出力線ＯＵＴ２は、プッシュＳＷ１１１及びＡＣ／ＤＣ電源部１１２を介してＣＰＵ１８に接続され、これに電力を供給する。制御線Ｃは、ラッチ式リレーとＣＰＵ１８との間を接続し、ＣＰＵ１８から制御信号を供給され、この制御信号に従ってラッチ式リレーを制御する。出力制御部１４は、第１及び第２の出力線ＯＵＴ１及びＯＵＴ２のいずれか一方に電力を供給する。
【００２３】
例えば、出力制御部１４は、電力供給を指示する制御信号をＣＰＵ１８から受信すると、これに応じて、商用電源６から供給される電力を出力線ＯＵＴ１を通じてコンセント１２に出力する。即ち、図２（Ｂ）に示すように、出力制御部１４は、出力線ＯＵＴ１への切替え制御信号を受信して、リレー出力を出力線ＯＵＴ１に切替え（入力線ＩＮと出力線ＯＵＴ１とを接続するようにスイッチを切替え）、当該接続を保持する（ラッチする）。
【００２４】
この時、発光部１６は、コンセント１２に対応して設けられ、コンセント１２に並列に接続される。従って、発光部１６は、コンセント１２へ電力が供給されている間は、常時発光する。発光部１６は、例えばＬＥＤからなる。
【００２５】
一方、出力制御部１４は、電力供給の停止を指示する制御信号をＣＰＵ１８から受信すると、これに応じて、商用電源６からコンセント１２に対する電力供給を停止し、出力線ＯＵＴ１から電力の出力を行わない。即ち、図２（Ｃ）に示すように、出力制御部１４は、出力線ＯＵＴ２への切替え制御信号を受けて、リレー出力を出力線ＯＵＴ２に切替え（入力線ＩＮと出力線ＯＵＴ２とを接続するようにスイッチを切替え）、当該接続を保持する。
【００２６】
プッシュＳＷ１１１は、第２の出力線ＯＵＴ２に直列に挿入されるスイッチ手段である。プッシュＳＷ１１１は、その通常状態がＯＮ状態又は開状態（非導通状態）とされ、開状態において押し下げられることにより、ＯＦＦ状態又は閉状態（導通状態）とされる。この閉状態は、当該押し下げを止めても例えば数秒間維持され、その後、通常状態である開状態に戻る。これにより、プッシュＳＷ１１１の押し下げを止めても、その後の数秒間（又は数十秒間）は、導通状態の出力線ＯＵＴ２（及びＡＣ／ＤＣ電源部１１２）を介してＣＰＵ１８に電力が供給される。この間に、ＣＰＵ１８が起動され、出力制御部１４の出力を出力線ＯＵＴ１に切り替える。換言すれば、ＣＰＵ１８が出力線ＯＵＴ１への切換を終了するまで、プッシュＳＷ１１１はＯＮ状態を維持する。
【００２７】
ＣＰＵ１８は、プッシュＳＷ１１１の押し下げにより、第２の出力線ＯＵＴ２に電力を供給する状態とされた出力制御部１４からの電力の供給に応じて起動される。即ち、プッシュＳＷ１１１の押し下げ時、後述するように、出力制御部１４は第２の出力線ＯＵＴ２に電力を供給する状態となっているので、当該押し下げにより、出力制御部１４はＣＰＵ１８に電力を供給することができる。起動されたＣＰＵ１８は、直ちに出力制御部１４を第１の出力線ＯＵＴ１に電力を供給する状態とする。これにより、ＣＰＵ１８は、出力線ＯＵＴ１及び接続線ＯＵＴ３を介して、監視制御部１４に電力を供給する。
【００２８】
接続線ＯＵＴ３は、第１の出力線ＯＵＴ１と、第２の出力線ＯＵＴ２のプッシュＳＷ１１１の挿入された位置のＣＰＵ１８側とを接続する。接続線ＯＵＴ３は、出力制御部１４の出力が、ＣＰＵ１８用の出力線ＯＵＴ２からコンセント１２用の出力線ＯＵＴ１に切替えられた場合において、出力線ＯＵＴ１からＣＰＵ１８へ電力を供給するための配線である。
【００２９】
ＡＣ／ＤＣ電源部１１２は、商用電源６からの電力を出力線ＯＵＴ１及びＯＵＴ３から又は出力線ＯＵＴ２から供給されて、商用電源６（ＡＣ）からＣＰＵ１８（及びその周辺回路、以下同じ）の動作のための直流電源（ＤＣ、例えば５Ｖ）を生成してこれらに供給する安定化電源回路である。
【００３０】
コンセント１２は、周知のコンセントからなり、電子機器２が備える電源プラグ２２が着脱可能に構成され、これに加えて、着脱検知ＳＷ１３をその内部に備える。着脱検知ＳＷ１３は、周知の構成を備え、コンセント１２への電源プラグ２２の着脱（電源プラグ２２がコンセント１２に挿入されたこと及びコンセント１２から抜かれたこと）を検知する。即ち、着脱検知ＳＷ１３は、電源プラグ２２がコンセント１２に挿入したことを検知するとＯＮ状態となり、電源プラグ２２がコンセント１２から抜かれたことを検知するとＯＦＦ状態となる。
【００３１】
着脱検知ＳＷ１３の検出出力はＣＰＵ１８へ入力される。ＣＰＵ１８は、着脱検知ＳＷ１３のＯＮの入力に応じて、機器情報読取部１７に機器ＩＤの読み取りを指示する。
【００３２】
機器情報読取部１７は、例えばＲＦＩＤタグリーダ等の無線タグ読取手段であり、コンセント１２に挿入した電源プラグ２２に取り付けられたＲＦＩＤタグ２３等の無線タグに予め記憶されている機器ＩＤを読み取る。機器情報読取部１７は、ＣＰＵ１８からの読み取りの指示に従って、周知のように、例えば起電電波をＲＦＩＤタグ２３に対して発信し、当該起電電波に応答したＲＦＩＤタグ２３からの応答信号を受信し、当該応答信号に含まれる機器ＩＤを取得する。機器情報読取部１７は、取得した機器ＩＤを、前記読み取りの指示に対する応答としてＣＰＵ１８に送信する。なお、機器情報読取部１７とＣＰＵ１８とが機器情報取得手段を構成すると考えて良い。
【００３３】
ＣＰＵ１８は、電子機器２の電源プラグ２２がコンセント１２に挿入（接続）された場合に、機器情報読取部１７によって読み取られた機器ＩＤを取得して、当該機器ＩＤが正当であるか否かを認証（機器認証）し、当該機器認証の結果に基づいて、コンセント１２に挿入された電源プラグ２２への電力の出力（の維持）又は停止を、出力制御部１４に対して指示する。
【００３４】
具体的には、ＣＰＵ１８は、取得した機器ＩＤと予め登録された機器ＩＤとを比較して、両者が一致する場合、当該機器ＩＤが正当であると認証し、出力制御部１４に電力供給を指示する制御信号を送信する。これにより、出力制御部１４は、商用電源６からの電力を出力線ＯＵＴ１に供給する。即ち、機器ＩＤが正当である場合に、コンセント１２に挿入された電源プラグ２２（即ち、電子機器２）に電力を供給する。
【００３５】
この電力供給を指示する制御信号の送出と共に、ＣＰＵ１８は、電力計測部１５に計測開始の制御信号を送信する。これに応じて、電力計測部１５は、商用電源６からコンセント１２を通じて電源プラグ２２に供給される電力を逐次計測する。電力計測部１５の計測出力は、例えばデジタル信号に変換された後、ＣＰＵ１８へ入力される。ＣＰＵ１８が、機器情報記憶部１１０に当該電子機器２の消費電力を、当該機器ＩＤ（又はコンセントＩＤ）に対応付けて、記憶するようにしても良い。
【００３６】
また、ＣＰＵ１８は、機器ＩＤが登録された機器ＩＤと一致しない場合、当該機器ＩＤが正当でないと認証し、出力制御部１４に電力供給の停止を指示する制御信号を送信する。これにより、出力制御部１４は、商用電源６からの電力を出力線ＯＵＴ２に供給する（切替える）。即ち、機器ＩＤが正当でない場合に、コンセント１２に挿入された電源プラグ２２（即ち、電子機器２）への電力の供給を停止する。
【００３７】
機器ＩＤは、図２（Ａ）に示されるように、コンセントＩＤに対応付けられて、機器情報記憶部１１０に予め登録される。コンセントＩＤは、当該コンセントボックス１の備えるコンセント１２を一意に識別する識別情報である。従って、機器ＩＤとコンセントＩＤとの対応により、当該コンセント１２に接続することが許される電子機器２が定まる。
【００３８】
機器情報記憶部１１０は、例えばコンセントボックス１の外部から入力される。即ち、ネットワーク制御部１９は、ネットワーク（図示せず）を介して、他のコンピュータ（例えば、図４の管理サーバ４）との間でデータ通信を行う。これにより、ネットワーク制御部１９は、機器ＩＤとコンセントＩＤとの対応を他のコンピュータから取得して、ＣＰＵ１８に送り、ＣＰＵ１８はこれを機器情報記憶部１１０に記憶する。
【００３９】
なお、ＣＰＵ１８が、機器情報として、機器ＩＤ及びコンセントＩＤの他に、当該電子機器２の機器種別、当該電子機器２がコンセント部１１に接続された時刻（接続時刻）を機器情報記憶部１１０に記憶するようにしても良い。
【００４０】
以上の構成により、ＣＰＵ１８は、識別情報が正当である場合、出力制御部１４を第１の出力線ＯＵＴ１に電力を供給する状態とする。なお、実際には、出力制御部１４は、前述のように、識別情報の判定に先立って、既に第１の出力線ＯＵＴ１に電力を供給する状態とされている。従って、ＣＰＵ１８は、識別情報が正当である場合、出力制御部１４の第１の出力線ＯＵＴ１に電力を供給する状態を維持する。これにより、ＣＰＵ１８は、コンセント部１１を介して、電子機器２に電力を供給する。
【００４１】
また、ＣＰＵ１８は、識別情報が正当でない場合、出力制御部１４を第２の出力線ＯＵＴ２に電力を供給する状態とする。即ち、出力制御部１４は、ＣＰＵ１８により、第１の出力線ＯＵＴ１に電力を供給する状態から、第２の出力線ＯＵＴ２に電力を供給する状態に変化させられる。これにより、ＣＰＵ１８は、電子機器２及びＣＰＵ１８それ自体への電力の供給を遮断する。従って、ＣＰＵ１８の消費電力を削減することができる。
【００４２】
更に、ＣＰＵ１８は、識別情報が正当である場合において、前述のように、電子機器２に電力を供給した後、電源プラグ２２がコンセント部１１から抜かれた場合にも、出力制御部１４を第２の出力線ＯＵＴ２に電力を供給する状態とする。電源プラグ２２がコンセント部１１から抜かれたことは、着脱検知ＳＷ１３のＯＦＦ状態により知ることができ、多くの場合、電子機器２が正常に処理を終了したと考えられる。これにより、ＣＰＵ１８は、電子機器２及びＣＰＵ１８それ自体への電力の供給を遮断する。従って、ＣＰＵ１８の消費電力を削減することができる。
【００４３】
なお、いわゆる電源スイッチ（図示せず）を、出力制御部１４とは別に設けるようにしても良い。この場合、商用電源６の供給は、出力制御部１４のみではなく、電源スイッチ（即ち、手動）によっても制御される。
【００４４】
図３は、本発明のコンセントボックス１が実行する処理の一例を示すフローチャートである。
【００４５】
前述のように、電源プラグ２２の識別情報が正当でない場合、及び、識別情報が正当であって電力供給の後に電源プラグ２２がコンセント部１１から抜かれた場合、出力制御部１４は、出力線ＯＵＴ２に電力を供給する状態となっている。
【００４６】
オペレータがプッシュＳＷ１１１を押下げる（ＯＮとする）ことにより（ステップＳ１）、商用電源６からの電力が出力線ＯＵＴ２及びプッシュＳＷ１１１（及びＡＣ／ＤＣ電源部１１２、以下同じ）を介して、ＣＰＵ１８への電力供給が開始される（ステップＳ２）。ＣＰＵ１８は、電力供給に応じて起動され（ステップＳ３）、出力制御部１４を制御して、商用電源６からの電力が出力線ＯＵＴ１に出力されるように、リレー出力を切替える（ステップＳ４）。これにより、商用電源６からの電力が、出力線ＯＵＴ１及び接続線ＯＵＴ３を介して、ＣＰＵ１８へ供給される。この後、プッシュＳＷ１１１がＯＦＦとなる。
【００４７】
この後、オペレータが電子機器２の電源プラグ２２をコンセント１２に挿入すると（ステップＳ５）、ＣＰＵ１８は、着脱検知ＳＷ１３がＯＮ状態であることを検知して（ステップＳ６）、これに応じて、機器情報読取部１７に機器ＩＤの読み取り制御信号を送信する。この読み取り制御信号に応じて、機器情報読取部１７が、電源プラグ２２に取り付けられているＲＦＩＤタグ２３から機器ＩＤを読み取る（ステップＳ７）。
【００４８】
ＣＰＵ１８は、機器情報読取部１７により読み取られた機器ＩＤが機器情報記憶部１１０に登録された機器ＩＤと一致するか否かを判断（機器認証）する（ステップＳ８）。一致する場合、ＣＰＵ１８は、出力制御部１４を制御して、商用電源６からの電力が出力線ＯＵＴ１に出力されるようにする（ステップＳ９）。なお、ステップＳ４において、商用電源６からの電力が出力線ＯＵＴ１に出力される状態となっているので、実際には、出力制御部１４はこの状態を維持する。これにより、商用電源６からの電力が、出力線ＯＵＴ１を介して、コンセント１２及び電子機器２へ供給される。
【００４９】
この後、ＣＰＵ１８は、予め定められた時間間隔で着脱検知ＳＷ１３の状態を周期的に監視して、着脱検知ＳＷ１３の状態を判断する（ステップＳ１０）。着脱検知ＳＷ１３の状態がＯＮのままである場合は、ＣＰＵ１８は、ステップＳ１０を繰り返す。着脱検知ＳＷ１３の状態がＯＦＦ状態となった場合は、ＣＰＵ１８は、出力制御部１４を制御して、商用電源６からの電力が出力線ＯＵＴ２に出力されるように、リレー出力を切替える（ステップＳ１１）。これにより、商用電源６からのコンセント１２（及び電子機器２）とＣＰＵ１８への電力の供給が停止される。この切替えに先立って、ＣＰＵ１８は、種々の処理（例えば、電力計測、終了時刻等の情報をメモリ（図示せず）に記憶する処理）を終了して、電力供給の停止を待つ。
【００５０】
ステップＳ８において、読み取られた機器ＩＤが登録された機器ＩＤと一致しない場合は、ＣＰＵ１８は、ステップＳ９及びＳ１０を省略して、ステップＳ１１を実行する。以上により、電子機器２が正当でない場合及びコンセント１２に挿入されていない場合に、ＣＰＵ１８即ちコンセントボックス１の消費電力を抑えることができる。
【００５１】
図４は、本発明の電力供給管理システムの構成の一例を示す。この例の電力供給管理システムは、複数の電力供給システム１と、その各々にネットワーク５を介して接続された管理サーバ４とからなる。なお、図４において、電力供給システム１は１個のみ示している。
【００５２】
電力供給システム１は、基本的には、図１の電力供給システム１と同様の構成を備えるが、以下の点で異なる。即ち、出力制御部１４の出力線ＯＵＴ２が、プッシュＳＷ１１１を介することなく、ＡＣ／ＤＣ電源部１１２に接続される。また、出力線ＯＵＴ２及び接続線ＯＵＴ３に、各々、逆流防止用の整流素子１１４が挿入される。更に、プッシュＳＷ１１１が省略される。このため、接続線ＯＵＴ３は、第１の出力線ＯＵＴ１と（ＡＣ／ＤＣ電源部１１２を介して）ＣＰＵ１８とを接続し、電力を供給することになる。
【００５３】
整流素子１１４は、例えばダイオードからなる。整流素子１１４は、出力線ＯＵＴ２及び接続線ＯＵＴ３のいずれにおいても、出力制御部１４からＡＣ／ＤＣ電源部１１２への方向が順方向となるように接続される。これにより、逆方向への電流の流れを阻止して、出力制御部１４とコンセント１２との間に、出力線ＯＵＴ２及び接続線ＯＵＴ３により電流パスが形成されることを防止することができる。
【００５４】
管理サーバ４は、命令生成部４１、管理テーブル４２、管理情報記憶部４３、命令送信部４４を備える。命令生成部４１は、管理テーブル４２に格納されたスケジュールに基づいて、複数の電力供給システム１毎に、その起動命令及び停止命令を生成する。命令生成部４１は、これらの命令の生成のために、管理情報記憶部４３に格納された管理情報を参照する。命令送信部４４は、命令生成部４１が生成した命令を、ネットワーク５を介して、電力供給システム１のＣＰＵ１８に送信する。
【００５５】
管理テーブル４２は、電力供給システム１（従って、コンセント１２即ちコンセントＩＤ）毎に、その起動時間及び停止時間を定めたスケジュール（コンセントスケジュール）を格納する。コンセントスケジュールは、電力供給システム１についての第１の制御情報であり、予め作成され、管理テーブル４２に格納される。
【００５６】
図５はコンセントスケジュールの一例を示す。図６（Ａ）は、図５のコンセントスケジュールの電力の供給を開始する時間（ＯＮ時刻又は起動時間）、電力の供給を停止する時間（ＯＦＦ時刻又は停止時間）の設定の一例を示し、図６（Ｂ）は、図５のコンセントスケジュールの１日分のＯＮ時刻及びＯＦＦ時刻の一例を示す。
【００５７】
コンセントスケジュールは、当該コンセント１２に対応するコンセント番号（コンセントＩＤ）について、年月日毎に、ＯＮ時刻及びＯＦＦ時刻を定め、図５に示すように、１か月分を１画面上に表示する。この時、例えば、２００７年１２月１日について、その最初のＯＮ時刻及びＯＦＦ時刻を表示する。また、図５の画面において、当該日付の網掛け部分にカーソルを位置付けてクリックすると、図６（Ｂ）に示されるように、当該日付の１日分のスケジュールが画面上に表示される。更に、図６（Ｂ）の画面において、当該時間帯にカーソルを位置付けてクリックすると、図６（Ａ）に示されるように、ＯＮ時刻及びこれに対応するＯＦＦ時刻の対（単位スケジュール）が画面上に表示される。更に、図６（Ａ）の画面において、矢印にカーソルを位置付けてクリックすると、起動又は停止の単位時間（この例では３０分）刻みで、単位スケジュールの時間帯を調整することができる。
【００５８】
管理情報記憶部４３は、電力供給システム１の機器種別毎に、その起動遅延（時間）及び停止遅延（時間）を定めた管理情報を格納する。この管理情報は、電力供給システム１についての第２の制御情報であり、予め作成され、管理情報記憶部４３に格納される。
【００５９】
図７（Ａ）は管理情報の一例を示す図である。管理情報は、コンセントＩＤ毎に、電子機器２の機器種別、当該機器種別に応じて定まる停止遅延及び起動遅延等を格納する。停止遅延は、ＣＰＵ１８が出力制御部１４に対して電子機器２への電力の出力の停止を指示してから、実際に電力の供給が停止されるまでの時間である。起動遅延は、ＣＰＵ１８が出力制御部１４に対して電子機器２への電力の出力を指示してから、実際に電力の供給が開始されるまでの時間である。停止遅延は、実際の電源の遮断までに時間的な余裕を持つための時間である。これにより、停止のために何らかの処理が必要である場合、当該処理を停止遅延の時間内において実行することができる。起動遅延も同様である。
【００６０】
命令生成部４１は、管理テーブル４２のコンセントスケジュールと管理情報記憶部４３の管理情報とに基づいて、命令を生成する。命令は、電子機器２の接続されたコンセントボックス（電力供給システム）１に対する制御命令であって、起動遅延時間又は停止遅延時間を含む。
【００６１】
図７（Ｂ）は、生成される命令の一例を示す図である。命令は、命令の種別と、当該命令の実行対象であるコンセントＩＤ、その機器種別、ＯＦＦ時刻（停止時刻）又はＯＮ時刻（起動時刻）、停止遅延又は起動遅延からなる。命令の種別は、停止（停止命令）又は起動（起動命令）のいずれかからなる。停止命令は、ＣＰＵ１８に対して電子機器２への電力供給の停止を指示する。停止命令には、図７（Ｂ）に示すように、ＯＦＦ時刻及び停止遅延（時間）が付加される。起動命令は、ＣＰＵ１８に対して電子機器２への電力供給を指示する。起動命令には、ＯＦＦ時刻及び停止遅延に代えて、ＯＮ時刻及び起動遅延（時間）が付加される。
【００６２】
命令送信部４４は、起動命令又は停止命令を、ネットワーク５を介して、ＣＰＵ１８に送信する。電子機器２の起動又は停止は、例えば、停電、コンピュータシステムの起動又は停止、コンピュータシステムのダウン等の場合に必要となる。
【００６３】
一方、電力供給システム１の各々において、ＣＰＵ１８は、命令送信部４４から停止命令を受信すると、これに従って、電子機器２への電力の供給を遮断する。即ち、ＣＰＵ１８は、管理サーバ４から停止命令を受信した場合、出力制御部１４を第２の出力線ＯＵＴ２に電力を供給する状態とする。
【００６４】
また、ＣＰＵ１８は、命令送信部４４から起動命令を受信すると、これに従って、電子機器２への電力の供給を開始する。即ち、ＣＰＵ１８は、管理サーバ４から起動命令を受信した場合において、前述のように、機器ＩＤが正当である場合に、出力制御部１４を第１の出力線ＯＵＴ１に電力を供給する状態とする。これにより、コンセント１２を介して、電子機器２に電力を供給する。また、ＣＰＵ１８は、当該起動命令を受信した場合において、前述のように、機器ＩＤが正当でない場合に、出力制御部１４を第２の出力線ＯＵＴ２に電力を供給する状態とする。これにより、電子機器２への電力の供給を遮断する。
【００６５】
例えば、図５のコンセントスケジュールにおいて、２００７年１２月１日のＯＮ時刻である９：３０前に、当該場所（１階１番柱横）のコンセント番号＃０００１のコンセントボックス１のＣＰＵ１８に対して、起動命令が送信される。当該ＣＰＵ１８は、受信した起動命令に従って、対応するコンセント１２（コンセント番号＃０００１）に正当な機器ＩＤの電子機器２が接続されている場合、電力供給を開始するように出力制御部１４を制御する。一方、正当な機器ＩＤの電子機器２が接続されていない場合（電子機器２が接続されていない場合も含む）、電力供給は開始されない。
【００６６】
図８は、管理サーバ４における停止命令又は起動命令の処理を示す処理フローである。
【００６７】
管理サーバ４において、命令生成部４１は、図５（又は図６（Ｂ））の管理テーブル４２を参照して（ステップＳ２１）、そのＯＦＦ時刻又はＯＮ時刻が現在時刻から所定の範囲内（例えば３０分後以内）である単位スケジュールを、そのコンセントＩＤと共に、１個抽出する。
【００６８】
命令生成部４１は、抽出した単位スケジュールのコンセントＩＤを用いて管理情報記憶部４３を参照して、対応する管理情報を取得する（ステップＳ２２）。例えば、当該単位スケジュールのＯＦＦ時刻が現在時刻から所定の範囲内である場合、当該コンセントＩＤの停止遅延（及び機器種別）が、対応する管理情報として取得される。
【００６９】
この後、命令生成部４１は、抽出した単位スケジュールの処理のための命令を生成する（ステップＳ２３）。例えば、当該単位スケジュールのＯＦＦ時刻が現在時刻から所定の範囲内である場合、命令の種別を停止命令とし、これに、ステップＳ２１において取得したＯＦＦ時刻及びコンセントＩＤと、ステップＳ２２において取得した機器種別及び停止遅延とが付加される。起動命令も同様である。
【００７０】
この後、命令送信部４４が、生成された停止命令又は起動命令をＣＰＵ１８に送信し（ステップＳ２４）、ステップＳ２１以下を繰り返す。
【００７１】
図９は、本発明の電力供給システム１における、管理サーバ４から送られた停止命令又は起動命令の処理を示す処理フローである。
【００７２】
電力供給システム１において、ＣＰＵ１８が、ネットワーク制御部１９及びネットワーク接続部１１３を介して、管理サーバ４から送信された、自己のコンセントＩＤに対応する電力供給の停止／起動命令を受信する（ステップＳ３１）。ＣＰＵ１８は、受信した停止／起動命令に基づいて、必要に応じて、当該電力供給システム１を停止／起動状態とするための準備処理を行う（ステップＳ３２）。例えば、停止状態とする場合、当該ＯＦＦ時刻よりも当該停止遅延の分だけ先立って、ステップＳ３２が実行される。起動状態とする場合も同様である。
【００７３】
この後、ＣＰＵ１８は、受信した命令が起動命令であるか否かを調べ（ステップＳ３３）、起動命令である場合、着脱検知ＳＷ１３を監視する。この状態で、電子機器２の電源プラグ２２がコンセント１２に挿入されると（ステップＳ３４）、ＣＰＵ１８は、着脱検知ＳＷ１３がＯＮを検出して（ステップＳ３５）、これに応じて、機器情報読取部１７に電源プラグ２２のＲＦＩＤタグ２３から機器ＩＤを読み取らせることにより、機器ＩＤを取得する（ステップＳ３６）。
【００７４】
この後、ＣＰＵ１８は、読み取られた機器ＩＤが機器情報記憶部１１０に登録された機器ＩＤと一致するか否かを判断（機器認証）する（ステップＳ３７）。両者が一致する場合、ＣＰＵ１８は、出力制御部１４にその出力を出力線ＯＵＴ１に切替えさせ、コンセント１２への電力供給を開始する（ステップＳ３８）。この後、ＣＰＵ１８は、周期的に着脱検知ＳＷ１３を監視して、これがＯＮのままかＯＦＦかを判断する（ステップＳ３９）。着脱検知ＳＷ１３がＯＮのままである場合、ＣＰＵ１８は、ステップＳ３９を繰り返す。着脱検知ＳＷ１３がＯＦＦとなった場合は、ＣＰＵ１８は、出力制御部１４にその出力を出力線ＯＵＴ２に切替えさせ、コンセント１２への電力供給を停止する（ステップＳ４０）。
【００７５】
ステップＳ３７において、両者が一致しない場合、ＣＰＵ１８は、ステップＳ３８及び
Ｓ３９の実行を省略して、ステップＳ４０を実行する。
【００７６】
ステップＳ３３において、受信した命令が停止命令である場合、ＣＰＵ１８は、ステップＳ３４〜Ｓ３９を省略して、ステップＳ４０を実行する。
【００７７】
なお、停止処理において、ＯＦＦ時刻よりも停止遅延の時間以上に先立って、ＣＰＵ１８が電子機器２（コンピュータ２１）に電源の遮断を通知するようにしても良い。例えば、ＲＳ２３２ＣやＵＳＢインタフェースによりコンピュータ２１にメッセージを送信するようにしても、また、コンセントボックス１に備えたブザー等により警告を出力するようにしても良い。
【産業上の利用可能性】
【００７８】
以上、説明したように、本発明によれば、電力供給システムにおいて、例えばオフィス等において多数のコンセントに多数の電子機器が接続されているような場合であっても、電子機器がコンセントに接続されていない待機状態での消費電力を抑えることができる。
【００７９】
また、本発明によれば、電力供給管理システムにおいて、予めスケジューリングされた管理情報を有する外部の装置からの指示を受けて、当該電力供給システムに接続されている、起動又は停止が必要となった電子機器に対応する遅延時間に応じたタイミングで当該電子機器への電力供給を開始又は停止することができる。これにより、例えば、多数のコンピュータや電子機器を備える学校、オフィス等において、稼働中で無い時間帯、稼動させる時間帯に応じて、これらの機器の電力供給管理を定期的及び自動的に一元管理することができる。その結果として、省電力化、省力化の効果を実現することが可能となる。また、これらの機器の稼働時間外の不正使用等の行為を防止することも可能となる。
【図面の簡単な説明】
【００８０】
【図１】本発明のシステム構成の一例を示す図である。
【図２】機器情報、出力制御部の基本構成の例を示す図である。
【図３】コンセントボックスの基本動作の例を示すフローチャートである。
【図４】本発明のシステム構成の他の一例を示す図である。
【図５】管理サーバのコンセントスケジュールの例を示す図である。
【図６】管理サーバのコンセントスケジュールの選択表示の例を示す図である。
【図７】管理情報、設定情報の例を示す図である。
【図８】停止命令又は起動命令の送信処理の例を示すフローチャートである。
【図９】停止命令又は起動命令の受信処理の例を示すフローチャートである。
【符号の説明】
【００８１】
１  コンセントボックス
２  電子機器
４  管理サーバ
５  ネットワーク
６  商用電源
１１  コンセント部
１２  コンセント
１３  着脱検知スイッチ
１４  出力制御部
１５  電力計測部
１６  発光部
１７  機器情報読取部
１８  ＣＰＵ
１９  ネットワーク制御部
２１  コンピュータ
２２  電源プラグ
２３  ＲＦＩＤタグ
４１  命令生成部
４２  管理テーブル
４３  管理情報記憶部
４４  命令送信部
１１０  機器情報記憶部
１１１  プッシュスイッチ
１１２  ＡＣ／ＤＣ電源部
１１３  ネットワーク接続部
１１４  整流素子
【図１】
2009240065.tif 000003
【図２】
2009240065.tif 000004
【図３】
2009240065.tif 000005
【図４】
2009240065.tif 000006
【図５】
2009240065.tif 000007
【図６】
2009240065.tif 000008
【図７】
2009240065.tif 000009
【図８】
2009240065.tif 000010
【図９】
2009240065.tif 000011